(57)【要約】   【課題】  軒樋の切断面に段差が生じことなく操作の容易な軒樋切断治具を提供することを目的とする。  【解決手段】  被ガイド部材６は上部材３１と下部材３２から成り、電動鋸４のベース板５が上部材３１と下部材３２によって挟持されて一体的に連結される。下部材３２は、一対の帯状板３５が一直線状に離れて形成されるとともに対向する帯状板の互いの一端部は下方に直角に折れ曲がり、帯状板３５と平行且つ直交する長方形状の被ガイド体部３６に固着される。電動鋸４の回転刃８が被ガイド体部３６の略中央部に位置調整して上部材３１を挿通部３４に挿通し固着具３４ａで固定することによりベース板５と下部材３２は一体的に連結固定される。電動鋸４のベース板５に固着される被ガイド部材６をガイド部材３に沿ってガイドするためのガイド部４５が一対の帯状板３５の下端面に取付けられる。【選択図】  図２
2008240298.tif 000002
【特許請求の範囲】
【請求項１】
軒樋の前面と底面と後面を帯状に覆って装着されるガイド部材と、電動鋸のベース板に固着され前記ガイド部材にガイドされる被ガイド部材とから成る軒樋切断治具において、
前記ガイド部材は幅方向の両端部に前記軒樋に対して直角に突出する一対のガイド用の突起と略中央部に前記電動鋸の回転刃を受入れるスリットを備え、
前記被ガイド部材は前記ベース板を幅方向に挟持する上部材と下部材から成り、下部材は一対の帯状板が一直線状に離れて形成されるとともに互いの対向する一端部に下垂部を備え、この下垂部は前記帯状板と平行且つ直交する長方形板状の被ガイド部に固着され、
前記電動鋸の回転刃が前記被ガイド部の略中央部に位置して、前記被ガイド部が前記ガイド部材の表面に沿って移動するとともに、一対の下部材の下面にそれぞれ前記ガイド部材の両側部の突起にガイドされるガイド部を備えることを特徴とする軒樋切断治具。
【請求項２】
請求項１記載の軒樋切断治具であって、前記ガイド部はアングル材でフランジ部が前記突起にガイドされることを特徴とする軒樋切断治具。
【請求項３】
請求項１又は請求項２に記載の軒樋切断治具であって、前記ガイド部と前記下部材は、前記ガイド部に設けられる一対の孔と前記下部材の下部に備える一対の突起との挿着によって位置決めされることを特徴とする軒樋切断治具。
【発明の詳細な説明】
【技術分野】
【０００１】
本発明は、建築物の軒先用の軒樋を長さ調整のため断面切断するための軒樋切断冶具に関し、詳しくは、軒樋の切断作業時に電動回転刃を用いて軒樋の断面を安定して切断する軒樋切断治具に関するものである。
【背景技術】
【０００２】
従来、軒樋の施工現場において建物の軒先長さに対応して軒樋を所定の長さに切断する必要があった。この場合、軒樋の両端縁耳部が自由端面のため容易に振動して断面切り口がギザギザとなり品質性が劣るという問題があった。
【０００３】
この問題を解決する方法が特許文献１に開示されている。図１０に示すように、特許文献１の軒樋切断治具は、軒樋７１の長手方向の任意位置で軒樋７１の周方向に亘って外側に被着するガイド部材７２と、電動鋸８０のベース板７４に取付けて軒樋切断時にガイド部材７２によってガイドされる被ガイド部材７３とで構成される。
【０００４】
被ガイド部材７３は上部材７３ａと下部材７３ｂから成り、ベース板７４は上部材７３ａと下部材７３ｂで上下から挟み込まれる。上部材７３ａと下部材７３ｂは長手方向の両端域でボルト・ナット７５を用いて固着される。下部材７３ｂは直交して一体化する長板状の被ガイド体部７６を備える。
【０００５】
ガイド部材７２はガイド部材本体７７の両端部に一対のガイド壁７８を備え、ガイド部材本体７７とガイド壁７８で囲まれた領域がガイド溝７９である。
【０００６】
そして、被ガイド体部７６がガイド溝７９にガイドされるので軒樋７１の切断精度を向上することができる。
【特許文献１】特開２００５−４８４４４号公報
【発明の開示】
【発明が解決しようとする課題】
【０００７】
ところが、被ガイド体部７６がガイド溝７９にガイドされて軒樋７１を切断する際に、電動鋸８０の回転刃８０ａはガイド壁７８の外側に沿って移動する。このため、切断時の軒樋７１の自由端部８０の振動が直接切断面に伝わり切り口断面がギザギザとなり段差が生じるため品質性が劣るという問題があった。
【０００８】
そこで、本発明はかかる従来技術の問題に鑑みなされたものであって、電動鋸による軒樋の切断精度が安定して確実に品質向上することができる軒樋切断治具を提供することを目的とする。
【課題を解決するための手段】
【０００９】
請求項１の発明は、軒樋の前面と底面と後面を帯状に覆って装着されるガイド部材と、電動鋸のベース板に固着され前記ガイド部材にガイドされる被ガイド部材とから成る軒樋切断治具において、前記ガイド部材は幅方向の両端部に前記軒樋に対して直角に突出する一対のガイド用の突起と略中央部に前記電動鋸の回転刃を受入れるスリットを備え、前記被ガイド部材は前記ベース板を幅方向に挟持する上部材と下部材から成り、下部材は一対の帯状板が一直線状に離れて形成されるとともに互いの対向する一端部に下垂部を備え、この下垂部は前記帯状板と平行且つ直交する長方形板状の被ガイド部に固着され、前記電動鋸の回転刃が前記被ガイド部の略中央部に位置して、前記被ガイド部が前記ガイド部材の表面に沿って移動するとともに、一対の下部材の下面にそれぞれ前記ガイド部材の両側部の突起にガイドされるガイド部を備えることを特徴としている。
【００１０】
請求項２の発明は、請求項１記載の軒樋切断治具であって、前記ガイド部はアングル材でフランジ部が前記突起にガイドされることを特徴としている。
【００１１】
請求項３の発明は、請求項１又は請求項２に記載の軒樋切断治具であって、前記ガイド部と前記下部材との取付は、前記ガイド部に設けられる一対の孔と前記下部材の下部に備える一対の突起との挿着によって位置決めされることを特徴としている。
【発明の効果】
【００１２】
請求項１記載の発明によれば、前記ガイド部材は幅方向の両端部に前記軒樋に対して直角に突出する一対のガイド用の突起と略中央部に前記電動鋸の回転刃を受入れるスリットを備え、前記電動鋸の回転刃が前記被ガイド部の略中央部に位置して、前記被ガイド部が前記ガイド部材の表面に沿って移動するとともに、一対の下部材の下面に備えるガイド部が前記ガイド部材の両側部の突起にガイドされる。
【００１３】
このため、前記ガイド部が前記ガイド部材の両側部の突起に沿ってガイドされて一直線に移動するので、前記軒樋を確実に切断して軒樋を段差なく容易に切断することができる。
【００１４】
また、前記電動鋸の回転刃が前記被ガイド部の略中央部に位置するので、前記軒樋の切断動作中に、軒樋はガイド部材によって切断面の両近傍が保持されているので、切断面から離れた軒樋の自由端部の振動が切断面に直接伝わるのを防ぐことができるので軒樋を安定して確実に段差なく切断することができる。
【００１５】
請求項２記載の発明によれば、前記ガイド部はアングル材を用いることでフランジ部が前記突起にガイドされるので、簡単な材料が使用できるので安価なコストで製作できる。
【００１６】
請求項３記載の発明によれば、前記ガイド部と前記下部材との取付は、前記ガイド部に設けられる一対の孔に前記下部材の下部に備える一対の突起を挿着するだけで位置決めされるので、一対の前記ガイド部を確実且つ容易に平行状態に取付ることができる。このため、前記電動鋸の回転刃を確実に一直線状に移動することができるので請求項１の効果と同様の効果が得られる。
【発明を実施するための最良の形態】
【００１７】
＜軒樋切断治具の構成＞  
以下に、本発明の実施形態を図１〜図９に基づいて説明する。
【００１８】
図１に示すように、軒樋切断治具１は前壁２ａと底壁２ｂと後壁２ｃから成る断面凹形状の軒樋２を横方向に切断する冶具で、この軒樋２の外周を帯状に覆って装着されるガイド部材３と、電動鋸４のベース板５に固着される被ガイド部材６とで構成される。ここで、ガイド部材３には幅方向の略中央部にスリット７が帯状の長手方向に沿って形成される。
【００１９】
そして、被ガイド部材６がガイド部材３に沿ってガイドされながらベース板５に固着された電動鋸４を移動することによって、ガイド部材３のスリット７に挿入されて突出する電動鋸４の回転刃８によって軒樋２が切断される。
【００２０】
なお、軒樋２の前壁２ａの上端部に前耳部９が、後壁２ｃの上端部には後耳部１０が、それぞれ軒樋２の内部側に突出して形成され、前壁２ａと底壁２ｂとの間に軒樋２の内部側に折れ込んで突出する段部２ｄが形成される。
【００２１】
図２、図３、図４、図５、図６に示すように、被ガイド部材６は上部材３１と下部材３２から成り、電動鋸４のベース板５が上部材３１と下部材３２によって挟持されて一体的に連結される。
【００２２】
電動鋸４が固定されるベース板５は矩形板状で、ベース板５の中心から左右方向に偏った位置で電動鋸４の回転刃８がベース板５を貫通して突出する。
【００２３】
ベース板５の外周部にベース板５の補強のためのフランジが設けられ、ベース板５の前端部近傍の左右のフランジ５ａに貫通孔３３がそれぞれ形成され、上部材３１を矢印Ｒに示すように挿通する。さらに、ベース板５の上面に一対の貫通孔３３と同一面内で上部材３１を挿通して位置決め固定するための挿通部３４がネジ等の固着具３４ａを備えて形成される。
【００２４】
上部材３１は帯状板で両端部近傍に下部材３２との固定のための孔３１ａがそれぞれ設けられる。
【００２５】
下部材３２は、一対の帯状板３５が一直線状に離れて形成されるとともに対向する帯状板の互いの一端部は下方に直角に折れ曲がり、帯状板３５と平行且つ直交する長方形状の被ガイド体部３６に固着される。
【００２６】
被ガイド体部３６は固着された帯状板３５より前方部３６ａが後方部３６ｂよりも長く、前方部３６ａは上方に角度θ１＝２度で傾斜し、後方部３６ｂも上方に角度θ２＝４５度で傾斜して形成される。また、上部材３１と帯状板３５の全長はベース板の幅寸法よりも長く形成される。
【００２７】
帯状板３５の両端部近傍に上部材３１との固定のための孔３５ａがそれぞれ一組設けられる。孔３５ａは上部材３１の孔３１ａを介してネジ等の固着具４０でベース板５と下部材３２は一体的に連結される。
【００２８】
尚、上記、ベース板５の上面に一対の貫通孔３３と同一面内で上部材３１を挿通して位置決め固定するための挿通部３４がネジ等の固着具３４ａを備えて形成されるので、電動鋸４の回転刃８を被ガイド体部３６の略中央部に位置調整して上部材３１を固定することによりベース板５と下部材３２は一体的に連結固定される。
【００２９】
さらに、電動鋸４のベース板５に固着される被ガイド部材６をガイド部材３に沿ってガイドするためのガイド部４５が一対の帯状板３５の下端面に取付けられる。ガイド部４５には帯状板３５への位置決め用の二組のガイド孔４５ａと固着用の二組の孔４５ｂとを備える。ガイド部４５は一対のアングル材がそのフランジ４５ｃを下方に突出して設けられる。
【００３０】
帯状板３５の長手方向の両端部には一対のフランジ３５ｂが上方に突出して形成されるので一対のフランジ３５ｂによって上部材３１を確実に位置決め保持することができる。
【００３１】
さらに、帯状板３５の被ガイド体部３６近傍には下方に突出する一対のフランジ３５ｃを備えるので、この一対のフランジ３５ｃをガイド部４５に設けられた二組のガイド孔４５ａに挿入することによりガイド部４５は容易に位置決めされる。ガイド部４５の二組の孔４５ｂに対応して二組の孔３５ｄが形成されるので両孔を介して帯状板３５にガイド部４５が固着用のボルト・ナット５０で固着される。
【００３２】
図７、図８、図９に示すように、ガイド部材３はガイド部材本体１１と連結材１２で形成される。ガイド部材本体１１は軒樋２の前壁２ａ、底壁２ｂ、後壁２ｃのそれぞれ外面に当接するように、帯状平板材によって前面１１ａ、底面１１ｂ、後面１１ｃが連続して断面凹形状に形成される。なお、段部２ｄの領域は段部２ｄに沿って当接する段部面１１ｄを別途形成して前面１１ａに連結される。
【００３３】
ガイド部材本体１１の幅方向の両端部にはガイド部材本体１１から垂直にガイド用の突起１３が立設される。この突起１３の外形断面形状は長方形(高さＳ、幅Ｔ)で、軒樋２にガイド部材３を装着した状態で突起１３は軒樋２に対しても直角である。
【００３４】
ガイド部材本体１１の長さ方向の両端部に、軒樋２の前耳部９と後耳部１０をそれぞれ係止する前耳係止部１４と後耳係止部１５がガイド部材本体１１から略直角に軒樋２の内部に向けて形成される。このため、前耳係止部１４と後耳係止部１５を前耳部９と後耳部１０に係止することによってガイド部材本体１１は軒樋２に安定して固着することができる。
【００３５】
ここで、上記、ガイド部材本体１１の幅方向の略中央部に電動鋸４の回転刃８を挿入して突出するスリット７が形成されるので、ガイド部材本体１１は二分割されているが、この二分割状態のガイド部材本体１１は連結材１２を介して一体的に連結される。
【００３６】
より詳しくは、連結材１２の一端部２０（軒樋２の前壁２ａ側）に形成される二組のフック２１と着脱自在に係止するために、前耳係止部１４には二組の丸棒状の係止部１９を備える。また、連結材１２の他端部２２に備える二組の（一対から成る）第一ヒンジ部２３と回転自在に連結するために、後耳係止部１５には二組の円筒状の第二ヒンジ部２４を備える。
【００３７】
第一ヒンジ部２３に第二ヒンジ部２４が挟まれた状態で第一ヒンジ部と第二ヒンジ部が丸棒状のヒンジ棒２３ａで連結される。フック２１を離脱することで矢印Ｑに示すように連結材１２は開くので軒樋２をガイド部材３に容易に挿入することができる。
【００３８】
連結材１２の一端部２０と他端部２２に設けられるスリット７ａ、７ｂはガイド部材本体１１に設けられたスリット７が同一面内で延長するように連結材１２の一端部２０と他端部２２の近傍に亘って形成される。
【００３９】
より詳しくは、スリット７ａ、７ｂの深さＱ１、Ｑ２は電動鋸４の回転刃８の先端部の移動する軌跡２５を含むとともに回転刃８の装着と脱着を容易にするために必要十分な深さを考慮して設定される。
【００４０】
このため、ガイド部材が簡単な構造なのでガイド部材を容易に回転しながら軒樋を一方向に切ることができるので切断面の段差もなく操作性が向上する。
【００４１】
ガイド部材３が軒樋２を覆って装着された状態で、電動鋸４の回転刃８が軒樋２の前壁２ａと底壁２ｂと後壁２ｃを完全に切断した状態でも、軒樋２はガイド部材本体１１ととともに連結材１２を介して一体的に連結状態が保持されているので、切断した軒樋２が不用意に落下しないので作業安全性が向上する。
【００４２】
軒樋の材質は、ステンレスや亜鉛メッキをした金属、あるいは軽量化や耐腐食性を考慮して例えば硬質塩化ビニール樹脂等の合成樹脂材料、或いは、金属板の両面に合成樹脂材料を被覆して形成される。ガイド部材と被ガイド部材はステンレスや亜鉛メッキをした金属材が用いられる。
【００４３】
＜軒樋切断治具の作用＞
軒樋２を長手方向の任意位置で切断する際に、軒樋２にガイド部材３を装着し、電動鋸４のベース板５に取付けられる被ガイド部材６のガイド部４５をガイド部材３の両端部の突起１３外側に沿わせて移動することができるので、回転刃８の直進性が確保できて軒樋を確実且つ容易に段差なく切断することができる。
【００４４】
さらに、軒樋２の切断がガイド部材３の幅方向の略中央部で実施されるので、軒樋２の切断面はガイド部材３によって囲まれて、切断時における軒樋２の自由端部の振動影響をほとんど排除できるので段差のない切断面が形成できる。
【００４５】
以上、本発明の実施例を図面に基づいて説明したが、具体的な構成はこの実施例に限られるものではなく本発明の要旨を逸脱しない範囲の設計変更等があっても本発明に含まれる。
【００４６】
たとえば、ガイド部材３はガイド部材本体１１が連結材１２で連結されていない構造であっても構わない。この場合でも、上記、電動鋸の回転刃が被ガイド部の略中央部に位置するので、軒樋の切断動作中に軒樋はガイド部材によって切断面の両近傍が保持されているので、切断面から離れた軒樋の自由端部の振動が切断面に直接伝わるのを防ぐことができるので軒樋を安定して確実に段差なく切断することができるという効果を得ることができる。
【００４７】
ガイド部４５のフランジ４５ｃをフランジ４５ｃと直角方向にブラケット補強材を追加して補強すると、一対のフランジ４５ｃによるガイド性をさらに向上する効果が得られる。
【図面の簡単な説明】
【００４８】
【図１】本発明の実施形態における、軒樋切断治具を用いて軒樋の切断作業を行なう状態を示す斜視図である。
【図２】本発明の実施形態における、電動鋸のベース板に固着される被ガイド部材の状態を示す一部分解斜視図である。
【図３】本発明の実施形態における、図２のＡ−Ａ矢視図である。
【図４】本発明の実施形態における、図２のＢ−Ｂ矢視図である。
【図５】本発明の実施形態における、下部材３２の側面図である。
【図６】本発明の実施形態における、ガイド部４５の下面から見た平面図である。
【図７】本発明の実施形態における、軒樋の前壁と底壁と後壁を覆って装着される帯状のガイド部材の側面図である。
【図８】本発明の実施形態における、図７のＣ−Ｃ矢視図である。
【図９】本発明の実施形態における、図７のＤ−Ｄ矢視図である。
【図１０】従来の軒樋切断治具を用いて軒樋の切断作業を行なう状態を示す斜視図である。
【符号の説明】
【００４９】
３  ガイド部材
４  電動鋸
５  ベース板
６  被ガイド部材
８  回転刃
３１  上部材
３２  下部材
３４  挿通部
３４ａ  固着具
３５  帯状板
３６  被ガイド体部
４５  ガイド部
【図１】
2008240298.tif 000003
【図２】
2008240298.tif 000004
【図３】
2008240298.tif 000005
【図４】
2008240298.tif 000006
【図５】
2008240298.tif 000007
【図６】
2008240298.tif 000008
【図７】
2008240298.tif 000009
【図８】
2008240298.tif 000010
【図９】
2008240298.tif 000011
【図１０】
2008240298.tif 000012